(57)【要約】【課題】スピードや打撃力が最大になるように、竹刀をタイミングよく振るための力の加え方を覚えることの可能な剣道練習具を提供する。【解決手段】打突部１１とグリップ部１２とからなり内部に中空部１が形成された長尺状の本体部１０と、中空部１を長手方向に移動可能な錘２とを有する。中空部１のグリップ部１２側に錘２の衝撃を和らげる緩衝体３を設けることが好ましい。また、中空部１の打突部１１側に錘２の衝撃を和らげる緩衝体４を設けることが好ましい。【選択図】図３
0003197683.tif 000002
【実用新案登録請求の範囲】
【請求項１】
打突部とグリップ部とからなり内部に中空部が形成された長尺状の本体部と、前記中空部を長手方向に移動可能な錘とを有することを特徴とする剣道練習具。
【請求項２】
前記中空部のグリップ部側に前記錘の衝撃を和らげる緩衝体を設けたことを特徴とする請求項１に記載の剣道練習具。
【請求項３】
前記中空部の打突部側に前記錘の衝撃を和らげる緩衝体を設けたことを特徴とする請求項１又は請求項２に記載の剣道練習具。
【考案の詳細な説明】
【技術分野】
【０００１】
本考案は、剣道練習具に関するものである。
【背景技術】
【０００２】
従来、剣道のトレーニングを行うための練習具として、例えば特許文献１には、手首や上半身の筋力強化を目的として竹刀に錘を付けた剣道練習具に関する発明が記載されている。また、特許文献２には、面打ち、小手打ち、胴打ち、及び送り足の練習が一人で出来るようにした練習用具に関する発明が記載されている。
【先行技術文献】
【特許文献】
【０００３】
【特許文献１】特開２００１−１７８８５８号公報
【特許文献２】特開平１０−１５５９６２号公報
【考案の概要】
【考案が解決しようとする課題】
【０００４】
ここで剣道においては、竹刀を振るための筋力も重要ではあるが、これに加えて竹刀をタイミングよく振る能力も重要である。すなわち、竹刀を力任せに振るのではなく、例えば相手の面に打ち込む瞬間に竹刀のスピードや打撃力が最大になるような力の加え方を覚える練習が効果的である。
【０００５】
しかしながら、引用文献１に記載された発明は、単に手首や上半身の筋力強化を目的としたものであり、また引用文献２に記載された発明は、一人で打ち込み練習ができるようにしたものであり、いずれも竹刀のスピードや打撃力が最大になるような力の加え方を覚えることはできない。
【０００６】
本考案は、上記従来の課題を解決するものであり、スピードや打撃力が最大になるように、竹刀をタイミングよく振るための力の加え方を覚えることの可能な剣道練習具を提供するものである。
【課題を解決するための手段】
【０００７】
上記課題を解決するため、本考案の剣道練習具は、打突部とグリップ部とからなり内部に中空部が形成された長尺状の本体部と、前記中空部を長手方向に移動可能な錘とを有することを特徴とする。
【０００８】
また好ましくは、前記中空部のグリップ部側に前記錘の衝撃を和らげる緩衝体を設けたことを特徴とする。
【０００９】
また好ましくは、前記中空部の打突部側に前記錘の衝撃を和らげる緩衝体を設けたことを特徴とする。
【考案の効果】
【００１０】
本考案に係る剣道練習具は、打突部とグリップ部とからなる本体部の内部に中空部が形成されており、中空部には長手方向に移動可能な錘が配置されている。この剣道練習具を用いて素振りをすると、振り被った位置では錘がグリップ部側にあり、振り終わった位置では錘が打突部側に移動する。ただし、素振りのタイミングが悪いと錘がスムーズに移動しない。従って、錘をスムーズに移動させるような素振りを繰り返すことで、スピードや打撃力が最大になるように、竹刀をタイミングよく振るための力の加え方を覚えることができる。
【００１１】
また、中空部のグリップ部側に錘の衝撃を和らげる緩衝体を設けた場合には、錘がグリップ部側に移動したときの衝撃を和らげて、グリップ部側の閉塞部を保護することができる。
【００１２】
また、中空部の打突部側に錘の衝撃を和らげる緩衝体を設けた場合には、錘が打突部側に移動したときの衝撃を和らげて、打突部側の閉塞部を保護することができる。
【００１３】
以上、本考案によれば、スピードや打撃力が最大になるように、竹刀をタイミングよく振るための力の加え方を覚えることの可能な剣道練習具を提供することができる。
【図面の簡単な説明】
【００１４】
【図１】本考案の実施形態１に係る剣道練習具を示す斜視図である。
【図２】実施形態１に係る剣道練習具を示す正面図である。
【図３】実施形態１に係る剣道練習具を示す断面図である。
【図４】実施形態１に係る剣道練習具の錘を示す正面図である。
【図５】実施形態１に係る剣道練習具の錘を示す平面図である。
【図６】実施形態１に係る剣道練習具の打突部の先端を示す断面図である。
【図７】実施形態１に係る剣道練習具のグリップ部の後端を示す断面図である。
【図８】本考案の実施形態２に係る剣道練習具を示す斜視図である。
【図９】実施形態２に係る剣道練習具を示す正面図である。
【図１０】実施形態２に係る剣道練習具を示す断面図である。
【図１１】実施形態２に係る剣道練習具の打突部の先端を示す断面図である。
【図１２】実施形態２に係る剣道練習具のグリップ部の後端を示す断面図である。
【図１３】他の実施形態に係る緩衝体を示す正面図である。
【図１４】素振り（振り被り位置）を示す図である。
【図１５】素振り（振り終わり位置）を示す図である。
【考案を実施するための形態】
【００１５】
次に、図１乃至図７を参照して、本考案の実施形態１に係る剣道練習具について説明する。図１は、本考案の実施形態１に係る剣道練習具１００を示す斜視図であり、図２及び図３は、剣道練習具１００を示す正面図及び断面図である。
【００１６】
図１乃至図３に示すように、剣道練習具１００は、竹刀を模した棒状の練習具であって、打突部１１とグリップ部１２とからなる長尺状の本体部１０を有している。打突部１１及びグリップ部１２は、それぞれ竹刀における先端側及び手元側に相当するものである。グリップ部１２には、天然ゴム製のグリップ１５が例えば両面テープ等により装着されている。また、グリップ１５の打突部側は鍔状に形成されている。なお、本実施形態では本体部１０の外周を円形としているが、これに限定されるものではない。ただし、グリップ部１２の握りやすさを考慮することが好ましい。
【００１７】
本体部１０の内部には、中空部１が形成されている。中空部１は、本体部１０の打突部１１の先端からグリップ部１２の後端にかけて連通しており、本体部１０の長手方向全体に亘って形成されている。本実施形態では、１本の円筒状部材（例えば、ステンレス製や樹脂製のパイプ等）の両端部を閉塞することにより中空部１を設け、天然ゴム製のグリップ１５を装着した部分をグリップ部１２として区分している。
【００１８】
中空部１には錘２が配置されており、中空部１を長手方向に移動可能になっている。錘２が中空部１を端から端まで移動できるように、錘２の外周面と中空部１の内周面との間には若干の隙間が存在している。錘２の詳細については後述する。
【００１９】
中空部１のグリップ部１２側の端部には、緩衝体３が設けられている。緩衝体３は、錘２がグリップ部１２側に移動したときの衝撃を和らげて、グリップ部１２側の閉塞部を保護するためのものである。衝撃体３の詳細については後述する。また、中空部１の打突部１１側の端部には、緩衝体４が設けられている。緩衝体４は、錘２が打突部１１側に移動したときの衝撃を和らげて、打突部１１側の閉塞部を保護するためのものである。
【００２０】
次に、図４及び図５を参照して、錘２について説明する。図４及び図５は、錘２を示す正面図及び平面図である。錘２は、中空部１の内周面との間に若干の隙間ができるように、外周を若干小さく形成した略円柱状の部材である。錘２の両端部には、ゴム７，７が巻かれている。ゴム７，７は、錘２が移動する際に、中空部１の内周面に擦れる音を抑制するためのものである。また、ゴム７，７によって錘２と中空部１との微妙な隙間調整を行うことができる。また、錘２の中央には、長手方向に沿って空洞８が形成されている。空洞８は、錘２の移動が移動する際に、空気逃しとして機能する。
【００２１】
錘２の材質としては合成樹脂等を用いることができる。なお、錘２の形状、大きさ、材質、重量等は特に限定されるものではなく、例えば単なる円柱状部材とすることもできる。ただし、スピードや打撃力が最大になるように、竹刀をタイミングよく振るための力の加え方を覚えるためには、正しい素振りを行わないと錘２がうまく移動しなくなるように、形状、大きさ、材質、重量等を、適宜調整することが重要である。
【００２２】
次に、図６を参照して、本体部１０の打突部１１の先端構造について説明する。図６は、打突部１１の先端を示す断面図である。打突部１１の先端は、円筒状の本体部１０の内側に、両側に大径部が形成された糸巻き状のヘッドピース１３を嵌着させた構造になっている。ヘッドピース１３の嵌着は、カシメ治具を用いて、円筒状の本体部１０をヘッドピース１３の形状に合わせて変形させながら行う。このようなヘッドピース１３を嵌着させることにより、素振りをした際の、錘２の先端側への移動による衝撃に耐えられるようになっている。そして、ヘッドピース１３が嵌着された先端を被うように、ヘッドキャップ１４が取り付けられている。
【００２３】
ヘッドピース１３の中空部１側には、小径部が突出して形成されており、バネ状の緩衝体４が嵌着されている。そして、錘２がグリップ部１２側の端部に移動してくると、その弾性力により衝撃を和らげるようになっている。また、緩衝体４により錘２の戻り速度アップを実現するとともに、バネの弾性力を変更することにより衝撃吸収力を調整することができるようになっている。
【００２４】
次に、図７を参照して、本体部１０のグリップ部１２の後端構造について説明する。図７は、グリップ部１２の後端を示す断面図である。グリップ部１２の後端は、円筒状の本体部１０の内側に、片側に鍔状の大径部が形成された緩衝体３を嵌着させた構造になっている。緩衝体３は、エンドカバーとしての機能を有するものであり、大径部の端部が本体部１０の端部に係止されるようになっている。そして、緩衝体３を覆うように、外側からグリップ１７が装着されている。
【００２５】
緩衝体３は大径部と小径部を有する略円柱状の天然ゴム製部材であり、小径部が中空部１側に突出している。そして、錘２がグリップ部１２側の端部に移動してくると、その弾性力により衝撃を和らげるようになっている。
【００２６】
また、緩衝体３の中央には、長手方向に沿って空洞９が形成されている。また、グリップ１５の後端部には、装着時の空気逃しとしても機能する空洞１６が形成されている。空洞９及び空洞１６を経由して外に音を逃がすことにより、中空部１内に音を籠らせないようにして、使用時に高音等の耳障りな音が発生するのを防止することができる。
【００２７】
次に、図８乃至図１３を参照して、本考案の実施形態２に係る剣道練習具について説明する。図８は、本考案の実施形態２に係る剣道練習具２００を示す斜視図であり、図９及び図１０は、剣道練習具２００を示す正面図及び断面図である。なお、実施形態１と同一の構成要素には同一の符号を付し適宜説明を省略する。
【００２８】
図８乃至図１０に示すように、剣道練習具２００は、竹刀を模した棒状の練習具であって、打突部２１とグリップ部２２とからなる長尺状の本体部２０を有している。打突部２１及びグリップ部２２は、それぞれ竹刀における先端側及び手元側に相当するものである。グリップ部２２には、滑り止めのためにテープ２７が巻かれている。なお、本実施形態では本体部２０の外周を円形としているが、これに限定されるものではない。ただし、グリップ部２２の握りやすさを考慮することが好ましい。
【００２９】
本体部２０の内部には、中空部１が形成されている。中空部１は、本体部２０の打突部２１の先端からグリップ部２２の後端にかけて連通しており、本体部２０の長手方向全体に亘って形成されている。本実施形態では、１本の円筒状部材（例えば、ステンレス製や樹脂製のパイプ等）の両端部を閉塞することにより中空部１を設け、テープ２７を巻いた部分をグリップ部２２として区分している。
【００３０】
中空部１のグリップ部２２側の端部には、緩衝体５が設けられている。緩衝体５は、錘２がグリップ部２２側に移動したときの衝撃を和らげて、グリップ部２２側の閉塞部を保護するためのものである。衝撃体５の詳細については後述する。なお、図示していないが、中空部１の打突部２１側の端部に緩衝体を設けるようにしてもよい。打突部２１側に緩衝体を設けた場合には、錘２が打突部２１側に移動したときの衝撃を和らげて、打突部２１側の閉塞部を保護することができる。
【００３１】
次に、図１１を参照して、本体部２０の打突部２１の先端構造について説明する。図１１は、打突部２１の先端を示す断面図である。打突部２１の先端は、円筒状の本体部２０の内側に、両側に大径部が形成された糸巻き状のヘッドピース２３を嵌着させた構造になっている。ヘッドピース２３の嵌着は、カシメ治具を用いて、円筒状の本体部２０をヘッドピース２３の形状に合わせて変形させながら行う。このようなヘッドピース２３を嵌着させることにより、素振りをした際の、錘２の先端側への移動による衝撃に耐えられるようになっている。そして、ヘッドピース２３が嵌着された先端を被うように、ヘッドキャップ２４が取り付けられている。
【００３２】
次に、図１２を参照して、本体部２０のグリップ部２２の後端構造について説明する。図１２は、グリップ部２２の後端を示す断面図である。グリップ部２２の後端は、円筒状の本体部２０の内側に、片側に大径部が形成されたエンドカバー２５を嵌着させた構造になっている。エンドカバー２５は、皿ビス２６，２６によりグリップ部２２の後端に固定されている。なお符号２８は、グリップ部２２に巻き付けられたテープ２７の端部を固定するためのテープ２８を示している。
【００３３】
中空部１のグリップ部２２側の端部には、緩衝体５が設けられている。本実施形態における緩衝体５は楕円体状のゴム製部材であり、弾性力により中空部１の内周面に押し付けられて、容易には移動しないようになっている。そして、錘２がグリップ部２２側の端部に移動してくると、その弾性力により衝撃を和らげるようになっている。
【００３４】
なお、緩衝体５としては、錘２の衝撃を低減できるものであればゴム製部材に限定されるものではない。例えば、図１３に示すように、バネ状の緩衝体８をグリップ部２２側の端部に固定するようにしてもよい。
【００３５】
次に、図１４及び図１５を参照して、本実施形態に係る剣道練習具１００（２００）の使用方法について説明する。図１４は素振り（振り被り位置）を示す図であり、図１５は素振り（振り終わり位置）を示す図である。
【００３６】
まず、図１４に示すように、剣道練習具１００（２００）を振り被る。このとき、本体部１０（２０）の中空部１に配置された錘２は、重力によりグリップ部１２（２２）の後端に下がって位置している。次に、図１５に示すように、素振りを行う。そうすると、剣道練習具１００（２００）が振り下ろされるにつれて、遠心力により中空部１に配置された錘２がグリップ部１２（２２）の後端から打突部１１（２１）の先端に向かって移動する。ただし、素振りのタイミングが悪いと、スムーズに錘２が移動せず、例えば錘２がその場の位置に留まってしまう。従って、錘２がスムーズに移動するように素振りを繰り返すことによって、正しい振り方を身に着けることができる。
【００３７】
本実施形態に係る剣道練習具１００（２００）は、打突部１１（２１）とグリップ部１２（２２）とからなる本体部１０（２０）の内部に中空部１が形成されており、中空部１には長手方向に移動可能な錘２が配置されている。この剣道練習具１００（２００）を用いて素振りをすると、振り被った位置では錘２がグリップ部１２（２２）側にあり、振り終わった位置では錘２が打突部１１（２１）側に移動する。ただし、素振りのタイミングが悪いと錘２がスムーズに移動しない。従って、錘２をスムーズに移動させるような素振りを繰り返すことで、スピードや打撃力が最大になるように、竹刀をタイミングよく振るための力の加え方を覚えることができる。
【００３８】
また、中空部１のグリップ部１２（２２）側に錘２の衝撃を和らげる緩衝体３（５）を設けた場合には、錘２がグリップ部１２（２２）側に移動したときの衝撃を和らげて、グリップ部１２（２２）側の閉塞部を保護することができる。
【００３９】
また、中空部１の打突部１１側に錘２の衝撃を和らげる緩衝体４を設けた場合には、錘２が打突部１１側に移動したときの衝撃を和らげて、打突部１１側の閉塞部を保護することができる。
【００４０】
以上、本実施形態に係る剣道練習具１００（２００）によれば、スピードや打撃力が最大になるように、竹刀をタイミングよく振るための力の加え方を覚えることができる。
【００４１】
以上、本考案の実施形態に係る剣道練習具について説明したが、本考案は上述した実施の形態に限定されるわけではなく、その他種々の変更が可能である。例えば、本実施形態では、中空部１を本体部１０（２０）の打突部１１（２１）の先端からグリップ部１２（２２）の後端まで形成したが、必ずしも本体部１０（２０）の端から端まで設ける必要はなく、本体部１０（２０）の長手方向の途中に形成するようにしてもよい。
【符号の説明】
【００４２】
１  中空部
２  錘
３  緩衝体
４  緩衝体
５  緩衝体
６  緩衝体
７  ゴム
８  空洞
９  空洞
１０  本体部
１１  打突部
１２  グリップ部
１３  ヘッドピース
１４  ヘッドキャップ
１５  グリップ
１６  空洞
２０  本体部
２１  打突部
２２  グリップ部
２３  ヘッドピース
２４  ヘッドキャップ
２５  エンドカバー
２６  皿ビス
２７  テープ
２８  テープ
１００  剣道練習具
２００  剣道練習具
【図１】
0003197683.tif 000003
【図２】
0003197683.tif 000004
【図３】
0003197683.tif 000005
【図４】
0003197683.tif 000006
【図５】
0003197683.tif 000007
【図６】
0003197683.tif 000008
【図７】
0003197683.tif 000009
【図８】
0003197683.tif 000010
【図９】
0003197683.tif 000011
【図１０】
0003197683.tif 000012
【図１１】
0003197683.tif 000013
【図１２】
0003197683.tif 000014
【図１３】
0003197683.tif 000015
【図１４】
0003197683.tif 000016
【図１５】
0003197683.tif 000017